(57)【特許請求の範囲】
【請求項１】
太陽電池パネルと、
前記太陽電池パネルのパネル面上において第１軸方向に配列された複数の板状体と、
を備え、
各板状体は、第１面と、前記第１面に対向する第２面と、を有し、
前記第１面および前記第２面は、前記パネル面に対して傾斜している、または、前記パネル面に対して垂直であり、
前記第１面には、表示を行うための表示面が設けられており、
前記表示面は、
第２軸方向に配列された複数の単位レンズと、
前記複数の単位レンズに対向して位置している複数の単位表示面と、を有し、
各単位表示面は、前記第２軸方向に配列された第１表示部分と第２表示部分とを有し、
前記単位レンズは、前記第１表示部分からの光を屈折させて第１角度方向に出射させ、第２表示部分からの光を屈折させて前記第１角度方向とは異なる第２角度方向に出射させるようになっている
ことを特徴とする太陽光発電装置。
【請求項２】
前記第２面には、反射面が設けられている
ことを特徴とする請求項１に記載の太陽光発電装置。
【請求項３】
各板状体は、前記第１軸方向および前記パネル面の法線方向の両方と直交する回転軸を有し、
各板状体を各々の回転軸回りに回転駆動する回転駆動機構が設けられている
ことを特徴とする請求項１または２に記載の太陽光発電装置。
【請求項４】
各板状体は、前記第１軸方向および前記パネル面の法線方向の両方と直交する回転軸を有し、
各板状体を各々の回転軸回りに回転駆動する回転駆動機構が設けられており、
前記第２面には、表示を行うための第２表示面が設けられている
ことを特徴とする請求項１に記載の太陽光発電装置。
【請求項５】
前記表示面は、供給される電圧に応じて所望の表示を行うディスプレイからなる
ことを特徴とする請求項１乃至４のいずれかに記載の太陽光発電装置。
【請求項６】
前記表示面のうち第１角度方向から観察可能な第１可視領域に第１表示対象要素が付与され、前記第１表示対象要素の組み合わせで第１表示対象が形成されるようになっていることを特徴とする請求項１乃至５のいずれかに記載の太陽光発電装置。
【請求項７】
前記表示面のうち第１角度方向から観察可能な第１可視領域に第１表示対象要素が付与され、前記第１表示対象要素の組み合わせで第１表示対象が形成され、前記第２角度方向から観察可能な第２可視領域に第２表示対象要素が付与され、前記第２表示対象要素の組み合わせで第２表示対象が形成されるようになっている
ことを特徴とする請求項１乃至６のいずれかに記載の太陽光発電装置。
【発明の詳細な説明】
【技術分野】
【０００１】
本発明は、太陽光発電装置に関する。
【背景技術】
【０００２】
特許文献１には、太陽電池パネルが併設された交通標識が記載されている。この交通標識では、昼間に太陽電池パネルにて発電した電力を蓄え、この蓄えた電力を照明用電源として利用し、夜間の視認性や昼間の注意喚起効果を向上させることができる。また、外部から電力を供給する配線ケーブル等が不要なため、電源設備がない地域であっても容易に設置することができる。このような背景から、近年太陽電池パネルが併設された交通標識の開発が進められている。
【先行技術文献】
【特許文献】
【０００３】
【特許文献１】特開２０００−５４３２５号公報
【発明の概要】
【発明が解決しようとする課題】
【０００４】
ところで、特許文献１に記載の交通標識では、太陽電池パネルが表示面の上方に併設されている。太陽電池パネルの受光面は、多くの外光を受光して多くの発電量を得られるように、外部に露出している。このため、交通標識を観察する観察者によって、太陽電池パネルの受光面は視認され易い位置にある。しかしながら、太陽電池パネルの受光面は濃紺色や黒色の単一色であり、太陽電池パネルの外観は、周囲の環境になじまない。
【０００５】
本発明は、以上の点を考慮してなされたものであり、周囲の環境との調和を図ると共に、太陽電池パネルによる発電が可能な太陽光発電装置を提供することを目的とする。
【課題を解決するための手段】
【０００６】
本発明による太陽光発電装置は、
太陽電池パネルと、
前記太陽電池パネルのパネル面上において第１軸方向に配列された複数の板状体と、
を備え、
各板状体は、第１面と、前記第１面に対向する第２面と、を有し、
前記第１面および前記第２面は、前記パネル面に対して傾斜している、または、前記パネル面に対して垂直である。
【０００７】
本発明による太陽光発電装置において、前記第１面には、表示を行うための表示面が設けられていてもよい。
【０００８】
本発明による太陽光発電装置において、前記第２面には、反射面が設けられていてもよい。
【０００９】
本発明による太陽光発電装置において、
各板状体は、前記第１軸方向および前記パネル面の法線方向の両方と直交する回転軸を有し、
各板状体を各々の回転軸回りに回転駆動する回転駆動機構が設けられていてもよい。
【００１０】
本発明による太陽光発電装置において、
各板状体は、前記第１軸方向および前記パネル面の法線方向の両方と直交する回転軸を有し、
各板状体を各々の回転軸回りに回転駆動する回転駆動機構が設けられており、
前記第２面には、表示を行うための第２表示面が設けられていてもよい。
【００１１】
本発明による太陽光発電装置において、前記表示面は、供給される電圧に応じて所望の表示を行うディスプレイからなっていてもよい。
【００１２】
本発明による太陽光発電装置において、前記表示面のうち第１角度方向から観察可能な第１可視領域に第１表示対象要素が付与され、前記第１表示対象要素の組み合わせで第１表示対象が形成されるようになっていてもよい。
【００１３】
本発明による太陽光発電装置において、
前記表示面は、
第２軸方向に配列された複数の単位レンズと、
前記複数の単位レンズに対向して位置している複数の単位表示面と、を有し、
各単位表示面は、前記第２軸方向に配列された第１表示部分と第２表示部分とを有し、
前記単位レンズは、前記第１表示部分からの光を屈折させて第１角度方向に出射させ、第２表示部分からの光を屈折させて前記第１角度方向とは異なる第２角度方向に出射させるようになっていてもよい。
【００１４】
本発明による太陽光発電装置において、前記表示面のうち第１角度方向から観察可能な第１可視領域に第１表示対象要素が付与され、前記第１表示対象要素の組み合わせで第１表示対象が形成され、前記第２角度方向から観察可能な第２可視領域に第２表示対象要素が付与され、前記第２表示対象要素の組み合わせで表示対象が形成されるようになっていてもよい。
【発明の効果】
【００１５】
本発明によれば、周囲の環境との調和を図ると共に、太陽電池パネルによる発電が可能な太陽光発電装置を提供することができる。
【図面の簡単な説明】
【００１６】
【図１】図１は、本発明による一実施の形態を説明するための図であって、太陽光発電装置を示す斜視図である。
【図２】図２は、図１の太陽光発電装置のＡ−Ａ線に沿った断面図である。
【図３】図３は、図１の太陽光発電装置において各板状体の表示面のうち可視領域に付与される表示対象要素を説明するための図である。
【図４】図４は、図３の表示対象要素の組み合わせで表示される表示対象を示す図である。
【図５】図５は、図２に対応する断面図であって、太陽光発電装置の第１変形例を説明するための図である。
【図６】図６は、図２に対応する断面図であって、太陽光発電装置の第２変形例を説明するための図である。
【図７】図７は、図２に対応する断面図であって、太陽光発電装置の第３変形例を説明するための図である。
【図８】図８は、図７の太陽光発電装置における板状体を示す平面図である。
【図９】図９（ａ）は、図８の太陽光発電装置において各板状体の表示面のうち第１可視領域に付与される第１表示対象要素を説明するための図である。図９（ｂ）は、図８の太陽光発電装置において各板状体の表示面のうち第２可視領域に付与される第２表示対象要素を説明するための図である。
【図１０】図１０（ａ）は、図９（ａ）の第１表示対象要素の組み合わせで表示された第１表示対象を示す図である。図１０（ｂ）は、図９（ｂ）の第２表示対象要素の組み合わせで表示された第２表示対象を示す図である。
【図１１】図１１は、図２に対応する断面図であって、太陽光発電装置の第４変形例を説明するための図である。
【図１２】図１２は、図１１の太陽光発電装置における板状体を示す斜視図である。
【図１３】図１３は、図１２の板状体のＢ−Ｂ線に沿った断面図である。
【図１４】図１４（ａ）は、図１１の太陽光発電装置において各板状体の表示面のうち第１可視領域に付与される第１表示対象要素を説明するための図である。図１４（ｂ）は、図１１の太陽光発電装置において各板状体の表示面のうち第２可視領域に付与される第２表示対象要素を説明するための図である。
【図１５】図１５（ａ）は、図１４（ａ）の第１表示対象要素の組み合わせで表示された第１表示対象を示す図である。図１５（ｂ）は、図１４（ｂ）の第２表示対象要素の組み合わせで表示された第２表示対象を示す図である。
【発明を実施するための形態】
【００１７】
以下、図面を参照して本発明の一実施の形態について説明する。なお、本明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１８】
本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。また、本明細書において、「シート面（フィルム面、板面、パネル面）」とは、対象となるシート状の部材を全体的かつ大局的に見た場合において対象となるシート状部材の平面方向と一致する面のことを指す。さらに、本明細書において、シート状（フィルム状、板状、パネル状）の部材に対して用いる「法線方向」とは、当該部材のシート面への法線方向のことを指す。
【００１９】
図１は、本発明の一実施の形態による太陽光発電装置１０を示す斜視図である。図２は、図１の太陽光発電装置１０のＡ−Ａ線に沿った断面図である。
【００２０】
図１および図２に示すように、太陽光発電装置１０は、太陽電池パネル１１と、太陽電池パネル１１のパネル面１１ｓ上において第１軸方向ｄ１に配列された複数（図示された例では５つ）の板状体１２ａ〜１２ｅと、を備えている。本実施の形態では、第１軸方向ｄ１は、太陽電池パネル１１のパネル面１１ｓと平行であり、パネル面１１ｓの法線方向ｎｄに対して直交している。図示された例では、第１軸方向ｄ１が鉛直方向と平行であり、パネル面１１ｓの法線方向ｎｄが水平方向と平行である。
【００２１】
太陽電池パネル１１は、受光面であるパネル面１１ｓで受光した光を電気エネルギーに変換する発電装置である。太陽電池パネル１１としては、様々な形態のものを使用することができる。例えば、単結晶シリコンまたは多結晶シリコン等からなる平板状のシリコン基板を含むシリコン系太陽電池パネル、薄膜太陽電池パネル、カルコパイライト系太陽電池等を、太陽電池パネル１１として用いることができる。
【００２２】
図２に示すように、太陽電池パネル１１のパネル面１１ｓには、第１角度範囲ＡＲ１内の角度方向Ｄ１１、Ｄ１２から入射する光が導かれるようになっており、この光が発電に利用されるようになっている。
【００２３】
各板状体１２ａ〜１２ｅは、例えば木材または樹脂から形成されている。第１軸方向ｄ１およびパネル面１１ｓの法線方向ｎｄの両方に平行な主切断面（図２における紙面）において各板状体１２ａ〜１２ｅの延びる方向を、第２軸方向ｄ２と呼ぶと、各板状体１２ａ〜１２ｅの第２軸方向ｄ２の長さは、例えば１ｃｍ以上であり、より具体的には、例えば３０ｃｍ〜５０ｃｍ程度である。また、第１方向ｄ１における板状体１２ａ〜１２ｅの配列ピッチ、すなわち隣り合う板状体１２ａ〜１２ｅの中心間隔は、例えば１０ｃｍ以上であり、より具体的には、例えば３０ｃｍ〜５０ｃｍ程度である。なお、図示された例では、各板状体１２ａ〜１２ｅは、互いに同一に構成されている。
【００２４】
各板状体１２ａ〜１２ｅは、互いに対向する一対の主面として、第１面２１および第２面２２を有している。図１および図２に示すように、各板状体１２ａ〜１２ｅの第１面２１および第２面２２は、太陽電池パネル１１のパネル面１１ｓに対して傾斜している。
【００２５】
より詳しくは、図２に示すように、各板状体１２ａ〜１２ｅは、第１軸方向ｄ１において一側（図示された例では、図２における上側であって、鉛直方向における上側）に位置する一端部が、第１軸方向ｄ１において他側（図示された例では、図２における下側であって、鉛直方向における下側）に位置する他端部よりも、パネル面１１ｓの法線方向ｎｄにおいて太陽電池パネル１１から離間するように、パネル面１１ｓに対して傾斜している。図２から理解され得るように、このような板状体１２ａ〜１２ｅによれば、パネル面１１ｓの法線方向ｎｄに対して一側（上側）に傾斜した方向、すなわち第１角度範囲ＡＲ１内の角度方向Ｄ１１、Ｄ１２から太陽光発電装置１０へ入射する光は、板状体１２ａ〜１２ｅによって遮られにくく、隣り合う板状体１２ａ〜１２ｅの間の空間を通過してパネル面１１ｓに導きやすくなる。一方、このような板状体１２ａ〜１２ｅによれば、パネル面１１ｓで反射してパネル面１１ｓの法線方向ｎｄに対して他側（下側）に傾斜した方向、すなわち第２角度範囲ＡＲ２内の角度方向Ｄ２１へ向かう光は、板状体１２ａ〜１２ｅによって遮られやすく、すなわち太陽光発電装置１０から出射しにくくなる。したがって、第２角度範囲ＡＲ２内の角度方向Ｄ２１から太陽光発電装置１０が観察される時、太陽電池パネル１１のパネル面１１ｓが視認されることが抑制され得る。
【００２６】
このような傾向を強化する観点から、第１軸方向ｄ１およびパネル面１１ｓの法線方向ｎｄの両方に平行な主切断面（図２における紙面）において、各板状体１２ａ〜１２ｅは、第１軸方向ｄ１における一側（上側）から他側（下側）に向けて、段階的または連続的に、パネル面１１ｓの法線方向ｎｄにおいてパネル面１１ｓに接近していくことが好ましい。図示された例において、各板状体１２ａ〜１２ｅは平板形状を有している。そして、図２に示されたように、第１軸方向ｄ１およびパネル面１１ｓの法線方向ｎｄの両方に平行な主切断面（図２における紙面）において、各板状体１２ａ〜１２ｅは、第１軸方向ｄ１における一側（上側）から他側（下側）に向けて、連続的に一定の傾斜の程度で、パネル面１１ｓの法線方向ｎｄにおいてパネル面１１ｓに接近していく。このような板状体１２ａ〜１２ｅによれば、第１角度範囲ＡＲ１内の角度方向Ｄ１１、Ｄ１２から太陽光発電装置１０へ入射する光は、板状体１２ａ〜１２ｅによって遮られにくく、隣り合う板状体１２ａ〜１２ｅの間の空間を通過してパネル面１１ｓに導きやすくなる。また、このような板状体１２ａ〜１２ｅによれば、パネル面１１ｓで反射して第２角度範囲ＡＲ２内の角度方向Ｄ２１へ向かう光は、板状体１２ａ〜１２ｅによって遮られやすく、すなわち太陽光発電装置１０から出射しにくくなる。したがって、第２角度範囲ＡＲ２内の角度方向Ｄ２１から太陽光発電装置１０が観察される時、太陽電池パネル１１のパネル面１１ｓが視認されることが抑制され得る。
【００２７】
なお、本実施の形態では、各板状体１２ａ〜１２ｅの第１面２１および第２面２２は、パネル面１１ｓに対して傾斜しているが、これに限定されず、各板状体１２ａ〜１２ｅの第１面２１および第２面２２は、パネル面１１ｓに対して垂直であってもよい。  
図１に示すように、各板状体１２ａ〜１２ｅは、その配列方向である第１軸方向ｄ１に対して交差する方向に直線状に延びている。とりわけ図示された例において、各板状体１２ａ〜１２ｅは、第１軸方向ｄ１およびパネル面１１ｓの法線方向ｎｄの両方と直交する第３軸方向ｄ３に、直線状に延びている。これにより、パネル面１１ｓが視認されることを抑制する機能が、第３軸方向ｄ３にわたって連続して発揮され得る。
【００２８】
図２に示すように、複数の板状体１２ａ〜１２ｅは、第２角度範囲ＡＲ２内の方向Ｄ２１から太陽光発電装置１０が観察される時に隣り合う板状体１２ａ〜１２ｅ同士が部分的に重なり合うような位置関係で、第１軸方向ｄ１に配列されていることが好ましい。この場合、太陽電池パネル１１のパネル面１１ｓで反射して第２角度範囲ＡＲ２内の角度方向Ｄ２１へ向かう光は、板状体１２ａ〜１２ｅによって確実に遮られ、すなわち太陽光発電装置１０から出射することが効果的に抑制される。したがって、第２角度範囲ＡＲ２内の角度方向Ｄ２１から太陽光発電装置１０が観察される時、太陽電池パネル１１のパネル面１１ｓが視認されることが効果的に抑制され得る。
【００２９】
本実施の形態では、図２に示すように、各板状体１２ａ〜１２ｅの第１面２１には、表示を行うための表示面２４が設けられている。これにより、各板状体１２ａ〜１２ｅは、太陽電池パネル１１のパネル面１１ｓが視認されることを抑制する機能に加えて、所定の表示機能を発揮することができる。したがって、本実施の形態の太陽光発電装置１０は、様々な用途で利用可能であり、例えば、屋外看板、道路情報掲示板、建築物の外壁面などで用いられる数ｍ〜数十ｍサイズの大型パネル用途や、ポスター、標識、建築物の内壁面などで用いられる数十ｃｍ〜数ｍサイズの中型パネル用途などを例示することができる。
【００３０】
各板状体１２ａ〜１２ｅの表示面２４が表示する表示対象３０としては、図形、パターン、デザイン、色彩、絵、写真、キャラクターなどの絵柄（イメージ）や、文字、マーク、数字などの情報を例示することができる。図４には、各板状体１２ａ〜１２ｅの表示面２４が表示する表示対象３０の一例が示されている。
【００３１】
太陽光発電装置１０へ入射する光のうち少なくとも一部は、板状体１２ａ〜１２ｅの表示面２４で反射して、第２角度範囲ＡＲ２内の角度方向Ｄ２１へ向けて太陽光発電装置１０から出射する。そして、第２角度範囲ＡＲ２内の角度方向Ｄ２１へ向けて太陽光発電装置１０から出射する光は、表示対象３０を表示する。すなわち、第２角度範囲ＡＲ２内の角度方向Ｄ２１から太陽光発電装置１０を観察する時、観察者は表示対象３０を観察することができる。
【００３２】
各板状体１２ａ〜１２ｅの表示面２４は、具体的には、例えば、第１面２１に対して脱着可能な印刷物から構成されている。この場合、第１面２１に取付けられる印刷物を交換することで、表示面２４が表示する表示対象３０を簡便に変更することが可能である。あるいは、第１面２１に対して直接、インクジェット法等により耐候性インクで表示対象３０を描画することで、表示面２４を形成してもよい。
【００３３】
上述したように、複数の板状体１２ａ〜１２ｅは、第２角度範囲ＡＲ２内の角度方向Ｄ２１から観察される時に隣り合う板状体１２ａ〜１２ｅ同士が部分的に重なり合うような位置関係で、第１軸方向ｄ１に配列されている。そして、図３に示すように、各板状体１２ａ〜１２ｅの表示面２４のうち第２角度範囲ＡＲ２内の角度方向Ｄ２１から観察可能な可視領域７０には、それぞれ、当該可視領域７０の第１軸方向ｄ１における位置に応じた表示対象要素３０ａ〜３０ｅが付与されている。そして、図４に示すように、各板状体１２ａ〜１２ｅの表示面２４の可視領域７０に付与された表示対象要素３０ａ〜３０ｅの組み合わせにより、二次元的な表示対象３０が形成されるようになっている。図４に示された例では、表示対象３０として、アルファベットの大文字の「Ｎ」が表示されている。
【００３４】
このように、複数の表示対象要素３０ａ〜３０ｅの組み合わせとして二次元的な表示対象３０を表示することで、各表示面２４のサイズを小さくできるため、太陽光発電装置１０のサイズを大きくしたとしても、良好な表示対象３０を観察することができる。
【００３５】
また、このように、各板状体１２ａ〜１２ｅの表示面２４のうち第２角度範囲ＡＲ２内の角度方向Ｄ２１から観察可能な可視領域７０に対して表示対象要素３０ａ〜３０ｅが付与されていることで、第２角度範囲ＡＲ２内の角度方向Ｄ２１から太陽光発電装置１０を観察する時に、隣り合う表示対象要素３０ａ〜３０ｅ同士が離間して表示対象３０内に余計な空白領域が挿入されたり、隣り合う表示対象要素３０ａ〜３０ｅ同士が部分的に重なり合って表示対象３０の一部が欠損する、という問題が防止される。
【００３６】
本実施の形態では、図２に示すように、各板状体１２ａ〜１２ｅの第２面２２には、反射面２５が設けられている。反射面２５は、一例として、高い反射率を有する材料からなる薄膜によって形成されている。反射面２５は、第１角度範囲ＡＲ１内の角度方向Ｄ１２から第２面２２に向けて入射する光を反射して、パネル面１１ｓに誘導する。したがって、第２面２２に反射面２５を設けることにより、パネル面１１ｓに導かれる光の入射角度範囲に相当する第１角度範囲ＡＲ１を広角化することができる。
【００３７】
次に、以上のような太陽光発電装置１０の作用について説明する。
【００３８】
本実施の形態による太陽光発電装置１０は、複数の板状体１２ａ〜１２ｅの配列方向である第１軸方向ｄ１が鉛直方向と平行になるように配置される。より詳しくは、各板状体１２ａ〜１２ｅが、パネル面１１ｓの法線方向ｎｄに対して第１軸方向ｄ１における一側（上側）に傾斜するように、すなわち、各板状体１２ａ〜１２ｅの第１軸方向ｄ１において一側に位置する一端部が、鉛直方向における上側に位置し、各板状体１２ａ〜１２ｅの第１軸方向ｄ１において他側に位置する他端部が、鉛直方向における下側に位置するように、太陽光発電装置１０が配置される。
【００３９】
各板状体１２ａ〜１２ｅは、パネル面１１ｓの法線方向ｎｄに対して第１軸方向ｄ１における一側（上側）に傾斜しているため、当該法線方向ｎｄに対して第１軸方向ｄ１における一側（上側）に傾斜した方向、すなわち第１角度範囲ＡＲ１内の角度方向Ｄ１１、Ｄ１２から太陽光発電装置１０に入射する光を、隣り合う板状体１２ａ〜１２ｅの間の空間に取り込むことが可能である。隣り合う板状体１２ａ〜１２ｅの間の空間に取り込まれた光は、隣り合う板状体１２ａ〜１２ｅの間の空間を進行して太陽電池パネル１１のパネル面１１ｓに導かれる。このように、各板状体１２ａ〜１２ｅをパネル面１１ｓの法線方向ｎｄに対して第１軸方向ｄ１における一側（上側）に傾斜させることにより、パネル面１１ｓに導かれる光の入射角度範囲に相当する第１角度範囲ＡＲ１を、高い自由度で調整することができる。したがって、本実施の形態による太陽光発電装置１０では、時間帯や季節に応じて入射方向が変化する太陽光を、効率的に受光して、太陽電池パネル１１での発電に利用することが可能である。
【００４０】
一方、各板状体１２ａ〜１２ｅは、パネル面１１ｓの法線方向ｎｄに対して第１軸方向ｄ１における一側（上側）に傾斜しているため、パネル面１１ｓで反射して当該法線方向ｎｄに対して第１軸方向ｄ１における他側（下側）に傾斜した方向、すなわち第２角度範囲ＡＲ２内の角度方向Ｄ２１へ向かう光は、板状体１２ａ〜１２ｅによって遮られ、太陽光発電装置１０から出射することが抑制される。したがって、第２角度範囲ＡＲ２内の角度方向Ｄ２１から太陽光発電装置１０が観察される時、太陽電池パネル１１のパネル面１１ｓが視認されることが抑制され、パネル面１１ｓを目立たなくすることが可能である。
【００４１】
以上のように、本実施の形態によれば、太陽電池パネル１１のパネル面１１ｓ上において複数の板状体１２ａ〜１２ｅが第１軸方向ｄ１に配列されており、各板状体１２ａ〜１２ｅの第１面２１および第２面２２がパネル面１１ｓに対して傾斜している、または、パネル面１１ｓに対して垂直である。このため、第１角度範囲ＡＲ１内の角度方向Ｄ１１、Ｄ１２から太陽光発電装置１０に入射する光は、主として隣り合う板状体１２ａ〜１２ｅの間の空間を通過して太陽電池パネル１１のパネル面１１ｓに導かれる。したがって、太陽電池パネル１１は、第１角度範囲ＡＲ１内の角度方向Ｄ１１、Ｄ１２から太陽光発電装置１０へ入射する光に対して発電機能を発揮することができる。一方、太陽電池パネル１１のパネル面１１ｓで反射して、第１角度範囲ＡＲ１内の角度方向Ｄ１１、Ｄ１２とは異なる第２角度範囲ＡＲ２内の角度方向Ｄ２１へ向けて出射する光は、板状体１２ａ〜１２ｅによって遮られ、すなわち太陽光発電装置１０から出射することが抑制される。したがって、第２角度範囲ＡＲ２内の角度方向Ｄ２１から太陽光発電装置１０を観察する時、主として板状体１２ａ〜１２ｅの第１面２１が観察され、太陽電池パネル１１のパネル面１１ｓが視認されることが抑制される。しかして、本実施の形態によれば、外光の入射方向と観察者からの観察方向との相違を利用して、周囲の環境との調和を図りながら、太陽電池パネル１１により発電することが可能である。
【００４２】
また、本実施の形態によれば、各板状体１２ａ〜１２ｅの第１面２１には、表示を行うための表示面２４が設けられているため、第２角度範囲ＡＲ２内の方向Ｄ２１から太陽光発電装置１０を観察する観察者は、表示面２４が表示する表示対象３０を観察することができる。これにより、板状体１２ａ〜１２ｅは、太陽電池パネル１１のパネル面１１ｓが視認されることを抑制することに加えて、所定の表示機能を発揮することができる。
【００４３】
とりわけ、本実施の形態による太陽光発電装置１０では、太陽電池パネル１１のパネル面１１ｓに導かれる光の入射角度範囲である第１角度範囲ＡＲ１が、鉛直方向における上側に傾斜した方向に設定され、表示面２４を観察し得る視野角となる第２角度範囲ＡＲ２が、鉛直方向における下側に傾斜した方向に設定されている。この場合、典型的な利用として想定される壁面設置の広告看板としての用途において、太陽光発電装置１０を目線よりも高い位置に設置する場合に有効である。観察者は、鉛直方向における上側に見上げながら太陽光発電装置１０を観察するため、第２角度範囲ＡＲ２内の角度方向Ｄ２１から表示面２４に付与された表示対象３０を観察することができる。一方、太陽光は、時間帯や季節に応じて入射方向が変化するが、鉛直方向における下側に傾斜した方向、あるいは、略水平方向に進みながら太陽光発電装置１０に入射する。このため、太陽光は、時間帯や季節に応じて入射方向が変化しても、第１角度範囲ＡＲ１内の角度方向Ｄ１１、Ｄ１２から隣り合う板状体１２ａ〜１２ｅの間の空間を通過して太陽電池パネル１１のパネル面１１ｓへ向かうことができる。したがって、このような形態によれば、太陽電池パネル１１による太陽光の受光および表示面２４による表示を効果的に両立させることができる。
【００４４】
また、本実施の形態によれば、各板状体１２ａ〜１２ｅの第２面２２には、反射面２５が設けられているため、第１角度範囲ＡＲ１内の角度方向Ｄ１２から第２面２２に向けて入射する光を反射して、パネル面１１ｓに誘導することができる。これにより、パネル面１１ｓに導かれる光の入射角度範囲に相当する第１角度範囲ＡＲ１を広角化することができる。
【００４５】
ところで、下記の表１は、世界の幾つかの国の主要な都市における季節ごとの南中高度（°）を示している。使用が想定される国の主要な都市における春分秋分の南中高度が第１角度範囲ＡＲ１に含まれることが好ましい。その国で有効に使用できる可能性が高いからである。例えば、使用されることが想定される国が日本の場合は、５４°から５６°までの高度が第１角度範囲ＡＲ１に含まれるようにすればよい。さらに、４９°から６１°までの高度が第１角度範囲ＡＲ１に含まれるようにすれば、世界の多くの国で有効に使用できる可能性が高いため、好ましい。また、使用が想定される国の主要な都市における夏至の南中高度から冬至の南中高度までが第１角度範囲ＡＲ１に含まれることがさらに好ましい。その国で一年を通して有効に使用できる可能性が高いからである。例えば、使用されることが想定される国が日本の場合は、３１°から７９°までの高度が第１角度範囲ＡＲ１に含まれるようにすればよい。さらに、２５°から８４°までの高度が第１角度範囲ＡＲ１に含まれるようにすれば、世界の多くの国で有効に使用できる可能性が高いため、好ましい。なお、所望の高度が第１角度範囲ＡＲ１に含まれることを容易にするために、第１角度範囲ＡＲ１の角度範囲が４５°程度以上連続していることが好ましい。もっとも、太陽光発電装置１０を傾けて配置することによって、所望の高度を第１角度範囲ＡＲ１に含まれるようにすることも可能である。一方、第１角度範囲ＡＲ１の角度範囲の上限については、第２角度範囲ＡＲ２とのバランスで適宜設定すればよいが、１３５°程度未満とすることによって、本実施の形態の太陽光発電装置１０の特徴をより発揮させることができる。
【表１】
0006395035.tif 000002
【００４６】
なお、各板状体１２ａ〜１２ｅの断面厚みに相当する面積が遮光面となることで太陽電池パネル１１の発電量が低下することを防止するために、各板状体１２ａ〜１２ｅの第１軸方向ｄ１において一側（上側）に位置する一端部の端面に、小型の太陽電池パネルを設けることが好ましい。
【００４７】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いるとともに、重複する説明を省略する。
【００４８】
まず、第１の変形例について、図５を参照して説明する。図５に示す例では、各板状体１２ａ〜１２ｅは、第１軸方向ｄ１およびパネル面１１ｓの法線方向ｎｄの両方と直交する回転軸１３を有しており、各板状体１２ａ〜１２ｅを各々の回転軸１３回りに回転駆動する回転駆動機構１４が設けられている。回転軸１３は、第３軸方向ｄ３と平行である。
【００４９】
より詳しくは、回転軸１３は、各板状体１２ａ〜１２ｅの第３軸方向ｄ３における両端部から第３軸方向ｄ３と平行に突出しており、不図示の支持フレームにより軸受を介して回転可能に支持されている。回転駆動機構１４は、例えばモータであり、ギアやベルト等の不図示の動力伝達手段を介して各板状体１２ａ〜１２ｅの回転軸１３に接続されている。なお、回転駆動機構１４のモータは、各板状体１２ａ〜１２ｅ毎に別個に設けられていてもよいし、単一のモータが各板状体１２ａ〜１２ｅに共通に設けられていてもよい。
【００５０】
回転駆動機構１４の回転駆動力が不図示の動力伝達手段を介して各板状体１２ａ〜１２ｅの回転軸１３に伝達されることにより、各板状体１２ａ〜１２ｅは各々の回転軸１３回りに回転されるようになっている。なお、回転駆動機構１４には、太陽電池パネル１１が発電した電力が供給されるようになっており、回転駆動機構１４は、太陽電池パネル１１から供給される電力を回転駆動力に変換するようになっていることが、好ましい。
【００５１】
本実施の形態によれば、時間帯や季節に応じて変化する太陽の位置に応じて、回転駆動機構１４によって各板状体１２ａ〜１２ｅを各々の回転軸１３回りに回転させることにより、各板状体１２ａ〜１２ｅのパネル面１１ｓに対する傾斜方向を太陽光の入射方向に合わせて調整することができる。これにより、太陽電池パネル１１のパネル面１１ｓに導かれる光の入射角度範囲である第１角度範囲ＡＲ１を、高い自由度で調整し、且つ、広角化することが可能となり、太陽の位置にかかわらず高出力で発電することが可能となる。
【００５２】
次に、第２の変形例について、図６を参照して説明する。図６に示す例では、各板状体１２ａ〜１２ｅの第２面２２に、反射面２５の代わりに、表示を行うための第２表示面２６が設けられている。第２面２２に設けられた第２表示面２６の構成は、第１面２１に設けられた表示面２４の構成と略同様であり、詳細な説明を省略する。
【００５３】
本実施の形態によれば、例えば、一定時間毎に、回転駆動機構１４によって各板状体１２ａ〜１２ｅを各々の回転軸１３回りに１８０°回転させることにより、第２角度範囲ＡＲ２内の角度方向Ｄ２１へ表示する表示対象３０の情報量を２倍に増やすことができる。
【００５４】
なお、本実施の形態では、第２面２２から反射面２５が省略されることで反射面２５によるパネル面１１ｓへの光の誘導効果が得られなくなるものの、回転駆動機構１４によって各板状体１２ａ〜１２ｅの傾斜方向を太陽光の入射方向に合わせて調整して、パネル面１１ｓへ光を直接入射させることで、太陽の位置にかかわらず高出力で発電することが可能である。
【００５５】
次に、第３の変形例について、図７〜図１０を参照して説明する。図７に示す例では、各板状体１２ａ〜１２ｅの表示面２４は、供給される電圧に応じて所望の表示を行うディスプレイ２３から構成されている。ディスプレイ２３には、太陽電池パネル１１が発電した電力が供給されるようになっており、ディスプレイ２３は、太陽電池パネル１１から供給される電力を利用して所望の表示を行うようになっていることが、好ましい。
【００５６】
本実施の形態では、図８に示すように、ディスプレイ２３の第３軸方向ｄ３における一端部に、第２軸方向ｄ２に延びる対物センサ２７が設けられている。対物センサ２７は、例えば反射型赤外線センサであり、第２軸方向ｄ２における複数の位置から第１面２１の法線方向と平行に赤外線を出射するとともに隣接する板状体の第２面２２で反射した赤外線を受光することで、隣り合う板状体１２ａ〜１２ｅの第２軸方向ｄ２における重なり量を検出できるようになっている。
【００５７】
図７から理解され得るように、回転駆動機構１４により板状体１２ａ〜１２ｅが各々の回転軸１３回りに回転されるにつれて、隣り合う板状体１２ａ〜１２ｅの第２軸方向ｄ２における重なり量が変化し、その結果、各板状体１２ａ〜１２ｅの表示面２４のうち第２角度範囲ＡＲ２内の角度方向Ｄ２１から観察可能な可視領域７０の大きさが変化する。
【００５８】
本実施の形態では、各板状体１２ａ〜１２ｅのディスプレイ２３は、対物センサ２７による検出結果に基づいて、表示を変更するようになっている。すなわち、各板状体１２ａ〜１２ｅのディスプレイ２３は、対物センサ２７による検出結果に基づいて、第２角度範囲ＡＲ２内の角度方向Ｄ２１から観察可能な可視領域７０の大きさを画定し、それに対応する表示対象要素を当該可視領域７０に表示するようになっている。
【００５９】
図９（ａ）は、第２角度範囲ＡＲ２内の角度方向Ｄ２１が各板状体１２ａ〜１２ｅの表示面２４に対して第１角度θ１を成す場合に、第２角度範囲ＡＲ２内の角度方向Ｄ２１から観察可能な可視領域７０１を示している。また、図９（ｂ）は、第２角度範囲ＡＲ２内の角度方向Ｄ２１が各板状体１２ａ〜１２ｅの表示面２４に対して第２角度θ２を成す場合に、第２角度範囲ＡＲ２内の角度方向Ｄ２１から観察可能な可視領域７０２を示している。
【００６０】
図９（ａ）に示すように、各板状体１２ａ〜１２ｅの表示面２４に対して第２角度範囲ＡＲ２内の角度方向Ｄ２１が第１角度θ１を成す場合、各板状体１２ａ〜１２ｅのディスプレイ２３は、第２角度範囲ＡＲ２内の角度方向Ｄ２１から観察可能な可視領域７０１に、当該可視領域７０１の第１軸方向ｄ１における位置に応じた表示対象要素３０１ａ〜３０１ｅをそれぞれ表示するようになっている。そして、図１０（ａ）に示すように、各板状体１２ａ〜１２ｅの可視領域７０１が表示する表示対象要素３０１ａ〜３０１ｅの組み合わせにより、二次元的な表示対象３０１が形成されるようになっている。
【００６１】
また、図９（ｂ）に示すように、各板状体１２ａ〜１２ｅの表示面２４に対して第２角度範囲ＡＲ２内の角度方向Ｄ２１が第２角度θ２を成す場合、各板状体１２ａ〜１２ｅのディスプレイ２３は、第２角度範囲ＡＲ２内の角度方向Ｄ２１から観察可能な可視領域７０２に、当該可視領域７２の第１軸方向ｄ１における位置に応じた表示対象要素３０２ａ〜３０２ｅをそれぞれ表示するようになっている。そして、図１０（ｂ）に示すように、各板状体１２ａ〜１２ｅの可視領域７２が表示する表示対象要素３０２ａ〜３０２ｅの組み合わせにより、二次元的な表示対象３０２が形成されるようになっている。
【００６２】
例えば、図５に示す実施形態のように、各板状体１２ａ〜１２ｅのうち或る角度方向Ｄ２１から観察可能な可視領域７０に対応するように表示対象要素３０ａ〜３０ｅが付与されている場合、各板状体１２ａ〜１２ｅが回転駆動機構１４により回転軸１３回りに回転されて、各板状体１２ａ〜１２ｅの表示面２４のうち当該或る角度方向Ｄ２１から観察可能な可視領域７０の大きさが変化すると、当該或る角度方向Ｄ２１から太陽光発電装置１０を観察する時に、隣り合う表示対象要素３０ａ〜３０ｅ同士が離間して表示対象３０内に余計な空白領域が挿入されたり、隣り合う表示対象要素３０ａ〜３０ｅ同士が部分的に重なり合って表示対象３０の一部が欠損してしまう、という問題がある。
【００６３】
一方、本実施の形態によれば、各板状体１２ａ〜１２ｅが回転駆動機構１４により回転軸１３回りに回転されて、各板状体１２ａ〜１２ｅの表示面２４に対して第２角度範囲ＡＲ２内の角度方向Ｄ２１が第１角度θ１を成す場合、各板状体１２ａ〜１２ｅのディスプレイ２３は、第２角度範囲ＡＲ２内の角度方向Ｄ２１から観察可能な可視領域７０１にそれに対応する表示対象要素３０１ａ〜３０１ｅをそれぞれ表示する。これにより、第２角度範囲ＡＲ２内の角度方向Ｄ２１から太陽光発電装置１０を観察する時に、表示対象要素３０１ａ〜３０１ｅの組み合わせにより、二次元的な表示対象３０１が良好に形成される。また、各板状体１２ａ〜１２ｅが回転駆動機構１４により回転軸１３回りに回転されて、各板状体１２ａ〜１２ｅの表示面２４に対して第２角度範囲ＡＲ２内の角度方向Ｄ２１が第２角度θ２を成す場合、各板状体１２ａ〜１２ｅのディスプレイ２３は、第２角度範囲ＡＲ２内の角度方向Ｄ２１から観察可能な可視領域７０２にそれに対応する表示対象要素３０２ａ〜３０２ｅをそれぞれ表示する。これにより、第２角度範囲ＡＲ２内の角度方向Ｄ２１から太陽光発電装置１０を観察する時に、表示対象要素３０２ａ〜３０２ｅの組み合わせにより、二次元的な表示対象３０２が良好に形成される。すなわち、本実施の形態によれば、各板状体１２ａ〜１２ｅの表示面２４に対して第２角度範囲ＡＲ２内の角度方向Ｄ２１が成す角度が第１角度θ１から第２角度θ２まで変化する場合であっても、隣り合う表示対象要素３０ａ〜３０ｅ同士が離間して表示対象３０内に余計な空白領域が挿入されたり、隣り合う表示対象要素３０ａ〜３０ｅ同士が部分的に重なり合って表示対象３０の一部が欠損すること無く、表示対象要素３０１ａ〜３０１ｅまたは３０２ａ〜３０２ｅの組み合わせによる表示対象３０１または３０２を良好に観察することが可能である。したがって、本実施の形態によれば、太陽電池パネル１１のパネル面１１ｓに導かれる光の入射角度範囲を高い自由度で調整することと、観察者が良好な表示対象３０１、３０２を観察することと、を両立することができる。
【００６４】
なお、本実施の形態では、ディスプレイ２３は、対物センサ２７による検出結果に基づいて、第２角度範囲ＡＲ２内の角度方向Ｄ２１から観察可能な可視領域７０の大きさを画定するようになっていたが、これに限定されず、例えば回転駆動機構１４のサーボモータが各板状体１２ａ〜１２ｅのパネル面１１ｓに対する傾斜角度を検出可能となっており、ディスプレイ２３は、回転駆動機構１４のサーボモータによる検出結果に基づいて、第２角度範囲ＡＲ２内の角度方向Ｄ２１から観察可能な可視領域７０の大きさを画定するようになっていてもよい。
【００６５】
次に、第４の変形例について、図１１〜図１５を参照して説明する。図１１〜図１３に示す例では、各板状体１２ａ〜１２ｅの表示面２４は、第２軸方向ｄ２に配列された複数の単位レンズ５０を有するレンズ部２８と、複数の単位レンズ５０に対向して位置している複数の単位表示面４０と、を有している。各単位表示面４０は、第２軸方向ｄ２に配列された第１表示部分４１と第２表示部分４２とを有している。
【００６６】
図１３に示すように、各単位表示面４０は、それぞれ異なる単位レンズ５０に個別に対応するように位置決めされている。単位レンズ５０は、それぞれ対応する単位表示面４０から出射する光に対してレンズ機能を発現し、当該光の進行方向を調整するようになっている。すなわち、図１３に示すように、単位レンズ５０は、それぞれ対応する単位表示面４０のうち第１表示部分４１からの光を屈折させて第１角度方向Ｄ２１へ出射させ、第２表示部分４２からの光を屈折させて第２角度方向Ｄ２２へ出射させるようになっている。
【００６７】
より詳しくは、図１２に示すように、レンズ部２８は、いわゆるレンチキュラーレンズまたはシリンドリカルレンズを構成している。すなわち、各単位レンズ５０は、その配列方向である第２軸方向ｄ２に対して交差する方向に直線状に延びている。とりわけ図示された例において、単位レンズ５０は、第３軸方向ｄ３に直線状に延びている。また、レンズ部２８に含まれる複数の単位レンズ５０は、互いに同一に構成されている。一例として、レンズ部２８は、透明樹脂を成型することにより作製されている。成型方法としては、熱溶融押出加工や射出成型等を採用することができる。
【００６８】
図１３に示すように、単位レンズ５０は、互いに対向する一対の主面として、凸レンズ状の第１レンズ面５１ａと、凸レンズ状の第２レンズ面５１ｂと、を有している。図示された例では、第２レンズ面５１ｂの光軸は、第１レンズ面５１ａの光軸よりも太陽電池パネル１１側（図１３における右側）にずれて位置決めされている。
【００６９】
各単位表示面４０は、それぞれ対応する第２レンズ面５１ｂ上に個別に設けられている。単位表示面４０は、第２レンズ面５１ｂの凸レンズ形状に対応する凹面形状を有している。一例として、単位表示面４０は、インクジェット印刷により、第２レンズ面５１ｂ上に塗工されて形成されている。図示された例では、単位表示面４０のうち第２表示部分４２が第１表示部分４１よりも太陽電池パネル１１側（図１３における右側）に設けられている。これにより、図１３に示すように、第１表示部分４１からの光は、単位レンズ５０により屈折されてパネル面１１ｓに対して比較的寝た第１角度方向Ｄ２１（例えば、パネル面１１ｓに対して３０°傾斜した方向）へ出射し、第２表示部分４２からの光は、単位レンズ５０により屈折されてパネル面１１ｓに対して比較的立ち上がった第２角度方向Ｄ２２（例えば、パネル面１１ｓに対して６０°傾斜した方向）へ出射するようになっている。
【００７０】
ところで、図１１から理解され得るように、太陽光発電装置１０を観察する角度方向Ｄ２１、Ｄ２２に応じて、隣り合う板状体１２ａ〜１２ｅの第２軸方向ｄ２における重なり量が変化し、その結果、各板状体１２ａ〜１２ｅの表示面２４のうち観察可能な可視領域７０の大きさが変化する。
【００７１】
図１４（ａ）は、各板状体１２ａ〜１２ｅの表示面２４のうち第１角度方向Ｄ２１から観察可能な第１可視領域７１を示している。また、図１４（ｂ）は、各板状体１２ａ〜１２ｅの表示面２４のうち第２角度方向Ｄ２２から観察可能な第２可視領域７２を示している。
【００７２】
図１４（ａ）に示すように、符号１２ａの板状体の第１可視領域７１に含まれる単位表示面４０の第１表示部分４１には、当該単位表示面４０の第２軸方向ｄ２における位置に応じた第１表示対象要素片３１ａ１〜３１ａｍがそれぞれ付与されており、当該第１表示対象要素片３１ａ１〜３１ａｍの組み合わせにより、二次元的な第１表示対称要素３１ａが形成されるようになっている。同様に、符号１２ｂの板状体の第１可視領域７１に含まれる単位表示面４０の第１表示部分４１には、当該単位表示面４０の第２軸方向ｄ２における位置に応じた第１表示対象要素片３１ｂ１〜３１ｂｎがそれぞれ付与されており、当該第１表示対象要素片３１ｂ１〜３１ｂｎの組み合わせにより、二次元的な第１表示対称要素３１ｂが形成されるようになっている。また、符号１２ｃの板状体の第１可視領域７１に含まれる単位表示面４０の第１表示部分４１には、当該単位表示面４０の第２軸方向ｄ２における位置に応じた第１表示対象要素片３１ｃ１〜３１ｃｎがそれぞれ付与されており、当該第１表示対象要素片３１ｃ１〜３１ｃｎの組み合わせにより、二次元的な第１表示対称要素３１ｃが形成されるようになっている。また、符号１２ｄの板状体の第１可視領域７１に含まれる単位表示面４０の第１表示部分４１には、当該単位表示面４０の第２軸方向ｄ２における位置に応じた第１表示対象要素片３１ｄ１〜３１ｄｎがそれぞれ付与されており、当該第１表示対象要素片３１ｄ１〜３１ｄｎの組み合わせにより、二次元的な第１表示対称要素３１ｄが形成されるようになっている。また、符号１２ｅの板状体の第１可視領域７１に含まれる単位表示面４０の第１表示部分４１には、当該単位表示面４０の第２軸方向ｄ２における位置に応じた第１表示対象要素片３１ｅ１〜３１ｅｎがそれぞれ付与されており、当該第１表示対象要素片３１ｅ１〜３１ｅｎの組み合わせにより、二次元的な第１表示対称要素３１ｅが形成されるようになっている。したがって、各板状体１２ａ〜１２ｅの第１角度方向Ｄ２１から観察可能な第１可視領域７１は、第１角度方向Ｄ２１に向けて第１表示対象要素３１ａ〜３１ｅをそれぞれ表示するようになっている。そして、図１５（ａ）に示すように、各板状体１２ａ〜１２ｅの第１可視領域７１に対して付与された第１表示対象要素３１ａ〜３１ｅの組み合わせにより、二次元的な第１表示対象３１が形成されるようになっている。
【００７３】
また、図１４（ｂ）に示すように、符号１２ａの板状体の第２可視領域７２に含まれる単位表示面４０の第２表示部分４２には、当該単位表示面４０の第２軸方向ｄ２における位置に応じた第２表示対象要素片３２ａ１〜３２ａｍがそれぞれ付与されており、当該第２表示対象要素片３２ａ１〜３２ａｍの組み合わせにより、二次元的な第２表示対称要素３２ａが形成されるようになっている。同様に、符号１２ｂの板状体の第２可視領域７２に含まれる単位表示面４０の第２表示部分４２には、当該単位表示面４０の第２軸方向ｄ２における位置に応じた第２表示対象要素片３２ｂ１〜３２ｂ３がそれぞれ付与されており、当該第２表示対象要素片３２ｂ１〜３２ｂ３の組み合わせにより、二次元的な第２表示対称要素３２ｂが形成されるようになっている。また、符号１２ｃの板状体の第２可視領域７２に含まれる単位表示面４０の第２表示部分４２には、当該単位表示面４０の第２軸方向ｄ２における位置に応じた第２表示対象要素片３２ｃ１〜３２ｃ３がそれぞれ付与されており、当該第２表示対象要素片３２ｃ１〜３２ｃ３の組み合わせにより、二次元的な第２表示対称要素３２ｃが形成されるようになっている。また、符号１２ｄの板状体の第２可視領域７２に含まれる単位表示面４０の第２表示部分４２には、当該単位表示面４０の第２軸方向ｄ２における位置に応じた第２表示対象要素片３２ｄ１〜３２ｄ３がそれぞれ付与されており、当該第２表示対象要素片３２ｄ１〜３２ｄ３の組み合わせにより、二次元的な第２表示対象要素３２ｄが形成されるようになっている。また、符号１２ｅの板状体の第２可視領域７２に含まれる単位表示面４０の第２表示部分４２には、当該単位表示面４０の第２軸方向ｄ２における位置に応じた第２表示対象要素片３２ｅ１〜３２ｅ３がそれぞれ付与されており、当該第２表示対象要素片３２ｅ１〜３２ｅ３の組み合わせにより、二次元的な第２表示対称要素３２ｅが形成されるようになっている。したがって、各板状体１２ａ〜１２ｅの第２角度方向Ｄ２２から観察可能な第２可視領域７２は、第２角度方向Ｄ２２に向けて第２表示対象要素３２ａ〜３２ｅをそれぞれ表示するようになっている。そして、図１５（ｂ）に示すように、各板状体１２ａ〜１２ｅの第２可視領域７２に対して付与された第２表示対象要素３２ａ〜３２ｅの組み合わせにより、二次元的な第２表示対象３２が形成されるようになっている。
【００７４】
例えば、図２に示す実施形態のように、各板状体１２ａ〜１２ｅの或る角度方向Ｄ２１から観察可能な可視領域７０が、当該角度方向Ｄ２１に向けて表示対象要素３０ａ〜３０ｅを表示する場合、別の角度方向Ｄ２２から太陽光発電装置１０を観察する時に、隣り合う表示対象要素３０ａ〜３０ｅ同士が離間して表示対象３０内に余計な空白領域が挿入されたり、隣り合う表示対象要素３０ａ〜３０ｅ同士が部分的に重なり合って表示対象３０の一部が欠損してしまう、という問題がある。
【００７５】
一方、本実施の形態によれば、図１５（ａ）に示すように、各板状体１２ａ〜１２ｅの第１角度方向Ｄ２１から観察可能な第１可視領域７１が、第１角度方向Ｄ２１に向けて第１表示対象要素３１ａ〜３１ｅをそれぞれ表示することで、第１角度方向Ｄ２１から太陽光発電装置１０を観察する時に、第１表示対象要素３１ａ〜３１ｅの組み合わせにより、良好な第１表示対象３１が形成される。また、図１５（ｂ）に示すように、各板状体１２ａ〜１２ｅの第２角度方向Ｄ２２から観察可能な第２可視領域７２が、第２角度方向Ｄ２１に向けて第２表示対象要素３２ａ〜３２ｅをそれぞれ表示することで、第２角度方向Ｄ２２から太陽光発電装置１０を観察する時に、第２表示対象要素３２ａ〜３２ｅの組み合わせにより、良好な第２表示対象３２が形成される。すなわち、本実施の形態によれば、観察者が太陽光発電装置１０を観察する観察方向が、第１角度方向Ｄ２１と第２角度方向Ｄ２２との間で変化する場合であっても、隣り合う表示対象要素３０ａ〜３０ｅ同士が離間して表示対象３０内に余計な空白領域が挿入されたり、隣り合う表示対象要素３０ａ〜３０ｅ同士が部分的に重なり合って表示対象３０の一部が欠損したりすること無く、表示対象要素３１ａ〜３１ｅまたは３２ａ〜３２ｅの組み合わせによる良好な表示対象３１または３２を観察することが可能である。したがって、本実施の形態によれば、観察者が良好な表示対象３１、３２を観察することができる角度範囲を２倍に広角化することができる。
【００７６】
なお、本実施の形態では、各単位表示面４０が、第２軸方向ｄ２に配列された２つの表示部分４１、４２を有しており、各表示部分４１、４２からの光が単位レンズ５０により屈折されることで、互いに異なる２つの角度方向Ｄ２１、Ｄ２２へ出射されるようになっていたが、これに限定されず、各単位表示面４０が、第２軸方向ｄ２に配列された３つ以上の表示部分を有しており、各表示部分からの光が単位レンズ５０により屈折されることで、互いに異なる３つ以上の角度方向へ出射されるようになっていてもよい。この場合、観察者が良好な表示対象３１、３２を観察することができる角度範囲を３倍以上に広角化することができる。しかしながら、１つの単位表示面４０に含まれる表示部分の数を増やすにつれて、各表示部分による表示が不明瞭になるため、１つの単位表示面４０に含まれる表示部分の最大数は、実用的には４個程度であると考えられる。
【００７７】
なお、以上において上述した実施の形態に対するいくつかの変形例を説明してきたが、当然に、複数の変形例を適宜組み合わせて適用することも可能である。
【符号の説明】
【００７８】
１０    太陽光発電装置
１１    太陽電池パネル
１１ｓ  パネル面
１２ａ〜１２ｅ    板状体
１３    回転軸
１４    回転駆動機構
２１    第１面
２２    第２面
２３    ディスプレイ
２４    表示面
２５    反射面
２６    第２表示面
２７    対物センサ
２８    レンズ部
３０    表示対象
３０１  表示対象
３０２  表示対象
３０ａ〜３０ｅ  表示対象要素
３０１ａ〜３０１ｅ  表示対象要素
３０２ａ〜３０２ｅ  表示対象要素
３１    第１表示対象
３１ａ〜３１ｅ  第１表示対象要素
３１ａ１〜３１ａｍ  第１表示対象要素片
３１ｂ１〜３１ｂｎ  第１表示対象要素片
３１ｃ１〜３１ｃｎ  第１表示対象要素片
３１ｄ１〜３１ｄｎ  第１表示対象要素片
３１ｅ１〜３１ｅｎ  第１表示対象要素片
３２    第２表示対象
３２ａ〜３２ｅ  第２表示対象要素
３２ａ１〜３２ａｍ  第２表示対象要素片
３２ｂ１〜３２ｂ３  第２表示対象要素片
３２ｃ１〜３２ｃ３  第２表示対象要素片
３２ｄ１〜３２ｄ３  第２表示対象要素片
３２ｅ１〜３２ｅ３  第２表示対象要素片
４０    単位表示面
４１    第１表示部分
４２    第２表示部分
５０    単位レンズ
５１ａ  第１レンズ面
５１ｂ  第２レンズ面
７０    可視領域
７１    第１可視領域
７２    第２可視領域
ｄ１    第１軸方向
ｄ２    第２軸方向
【図１】
0006395035.tif 000003
【図２】
0006395035.tif 000004
【図３】
0006395035.tif 000005
【図４】
0006395035.tif 000006
【図５】
0006395035.tif 000007
【図６】
0006395035.tif 000008
【図７】
0006395035.tif 000009
【図８】
0006395035.tif 000010
【図９】
0006395035.tif 000011
【図１０】
0006395035.tif 000012
【図１１】
0006395035.tif 000013
【図１２】
0006395035.tif 000014
【図１３】
0006395035.tif 000015
【図１４】
0006395035.tif 000016
【図１５】
0006395035.tif 000017